(57)【要約】【課題】図書Ａを紫外線や赤外線でもって便利にかつ効果的に殺菌、消毒するとともに、利用者が図書Ａを消毒チャンバー１０に一層易しく載置して使用することができる図書消毒器を提供する。【解決手段】図書Ａに空気を噴射して図書Ａの中紙ａを広げて、殺菌ランプ３０でもって消毒処理する図書消毒器であって、消毒チャンバー１０の底壁１２と上壁１４との間には、傾斜後方壁１６が備えられ、前記消毒チャンバー１０には、前記傾斜後方壁１６に近接する自由端部１８を持つ少なくとも一つの図書保持部材２０が備えられ、前記消毒チャンバー１０の底壁１２、傾斜後方壁１６および上壁１４には、送風機２６に連結された少なくとも一つの空気噴射機２８が備えられている。【選択図】  図２
2011092689.tif 000002
【特許請求の範囲】
【請求項１】
図書に空気を噴射して図書の中紙を広げ、殺菌ランプで消毒処理する図書消毒器であって、
消毒チャンバー１０の底壁１２と上壁１４との間には、傾斜後方壁１６が備えられ、
前記消毒チャンバー１０には、前記傾斜後方壁１６に近接する自由端部１８を持つ少なくとも一つの図書保持部材２０が備えられ、
前記消毒チャンバー１０の底壁１２、傾斜後方壁１６および上壁１４には、送風機２６に連結された少なくとも一つの空気噴射機２８が備えられていることを特徴とする、図書消毒器。
【請求項２】
前記図書保持部材２０の固定端部２２が前記消毒チャンバー１０の底壁１２に固定されていることを特徴とする、請求項１に記載の図書消毒器。
【請求項３】
前記図書保持部材２０の固定端部２２が前記消毒チャンバー１０の傾斜後方壁１６に固定されていることを特徴とする、請求項１に記載の図書消毒器。
【請求項４】
前記図書保持部材２０の固定端部２２が前記消毒チャンバー１０の上壁１４に固定されていることを特徴とする、請求項１に記載の図書消毒器。
【請求項５】
前記傾斜後方壁１６には、前記図書保持部材２０と対応する図書支持台２４が備えられていることを特徴とする、請求項１に記載の図書消毒器。
【請求項６】
前記傾斜後方壁１６には、前記図書保持部材２０の自由端部１８と対応する磁石３４が備えられていることを特徴とする、請求項１に記載の図書消毒器。
【発明の詳細な説明】
【技術分野】
【０００１】
本発明は、図書消毒器に係り、より詳しくは、図書館、文書保管所、資料室、学校および家庭などにおいて図書を紫外線や赤外線でもって便利にかつ効果的に殺菌、消毒することができ、特に、利用者が図書を消毒チャンバーに一層易しく載置して使用することができる図書消毒器に関する。
【背景技術】
【０００２】
一般に、図書館や学校などで閲覧されるか、あるいは貸し出される各種の図書は、利用者の唾液、鼻水、汗などのような身体分泌物、コーヒー、飲み物、お菓子などのような飲食物、そして本（換言すれば、図書）に棲息する虫などのような害虫などによって汚染され、種々のウイルス、細菌、かびなどが繁殖しやすいために、種々の疾病を伝染させる媒介体となるなどの問題点があった。
【０００３】
特に、汚染されやすくて、種々のウイルス、細菌、かびおよび害虫などの棲息場所となる図書の内部、つまり中紙の場合には、通常の紫外線消毒器でもって殺菌、消毒処理しても、図書の表紙とは異なる中紙などによって紫外線の照射が遮断されるために、図書の汚染された内部を効果的に殺菌、消毒処理することができない問題点があった。
【０００４】
このような従来の問題点を解決するためのものとしては、本発明者による大韓民国特許第０８８０５８３号に開示されている図書消毒器を挙げることができる。
【０００５】
前記図書消毒器は、消毒すべき図書を垂直に立てた状態において図書の表紙を広げたままで保持する図書固定台と図書保持具とを含む図書保持手段を備えたものであるので、垂直に立てられた図書の下端部、つまり中紙の下端部が消毒チャンバーの底面と接触することになるために、消毒すべき図書に向かって噴射される空気でもって図書の中紙を扇形に広げるときに、前記中紙の下端部と消毒チャンバーの底面との摩擦抵抗によって、図書の中紙を円滑に広げることができなくなる欠点があった。
【０００６】
また、利用者が、図書を消毒器内の図書固定手段で固定させるときに、片手で図書が倒れないようにつかんだままで他の手では図書の表紙を中紙から分離させながら図書固定具を操作しなければならないので、使用が不便な欠点があった。
【０００７】
特に、大型の子供用絵本などのように大面積を持つ図書、または重い図書を固定させることが、非常に不便であっただけでなく、手の力が一般の大人に比べて弱い子供、老人または病弱者が、消毒すべき図書を消毒器内に固定しにくいなどの欠点もあった。
【０００８】
また、図書固定手段が、垂直固定型の図書固定台と、折畳可能にピボット連結された一対の可動型図書固定具とからなるものなので、構造が比較的複雑であり、製作の際に多くの組立て工数が要求され、このために、製作コストが高くかかるなどの欠点もあった。
【発明の概要】
【発明が解決しようとする課題】
【０００９】
したがって、本発明は前記のような従来の問題点に鑑みてなされたものであって、本発明の目的は、消毒すべき図書の中紙と表紙とが両分（換言すれば、二分）されるように図書を開いて、消毒チャンバーに備えられた傾斜後方壁と図書保持部材との間に挟み込む方式で消毒すべき図書を載置させることができるようにすることによって、消毒すべき図書をより手軽に載置することができ、このように載置される消毒すべき図書の中紙と表紙とが自重および重力によって自ら広げられるようにすることによって、消毒すべき図書に向けて空気を噴射させるときに、載置された図書の中紙と表紙とがより円滑に広げられることになり、殺菌、消毒ランプから照射される光線が図書の中紙と表紙との深部にも均一に照射されるようにすることができるために、殺菌・消毒処理効果が非常に優秀であり、より安いコストでもって製作することができる図書消毒器を提供することにある。
【課題を解決するための手段】
【００１０】
前記目的を達成するために、本発明は、図書に空気を噴射して図書の中紙を広げ、殺菌ランプで消毒処理する図書消毒器であって、消毒チャンバーの底壁と上壁との間には、傾斜後方壁が備えられ、前記消毒チャンバーには、前記傾斜後方壁に近接する自由端部を持つ少なくとも一つの図書保持部材が備えられ、前記消毒チャンバーの底壁、傾斜後方壁および上壁には、送風機に連結された少なくとも一つの空気噴射機が備えられている図書消毒器を提供する。
【００１１】
また、本発明によると、前記図書保持部材の固定端部が、前記消毒チャンバーの底壁、傾斜後方壁および上壁の中のいずれか一つの壁に固定されていることができる。
【００１２】
また、本発明によると、前記傾斜後方壁には、前記図書保持部材と対応する図書支持台が備えられていることができる。
【００１３】
また、本発明によると、前記傾斜後方壁には、前記図書保持部材の自由端部と対応する磁石が備えられていることができる。
【発明の効果】
【００１４】
本発明による図書消毒器は、消毒すべき図書を両分（換言すれば、二分）されるように開いてから、消毒チャンバー内の傾斜後方壁と、図書保持部材の自由端部との間に挟み込む方式で載置させることができるようになっているので、消毒すべき図書を一般の大人はもちろん、子供、老人または病弱者も、手軽に載置して使用することができる。
【００１５】
また、本発明による図書消毒器は、載置された図書の中紙と表紙とが摩擦抵抗なしに自重および重力によって自ら広げられて、噴射される空気によってより円滑に広げられるので、殺菌、消毒ランプから照射される光線が図書の中紙と表紙との深部にも均一に照射されるようにすることができ、このために、殺菌・消毒処理効果が非常に優れ、さらに、図書固定手段の構造簡素化をはかって製作コストを節減することができるなどの利点がある。
【００１６】
また、本発明による図書消毒器は、消毒チャンバー内に多数の図書保持部材と図書支持台とを並列で備えることができるようになっているので、多くの図書を同時にかつ効率よく殺菌・消毒処理することができる利点もある。
【図面の簡単な説明】
【００１７】
【図１】本発明による図書消毒器の一実施例を示す縦断面図である。
【図２】本発明による図書消毒器の消毒チャンバーに載置された消毒すべき図書の中紙と表紙とが自重および重力、そして噴射される空気によって広げられる状態を示す斜視図である。
【発明を実施するための形態】
【００１８】
本発明を添付図面に基づいてさらに詳細に説明すれば、つぎのとおりである。
【００１９】
図１は、本発明による図書消毒器の一実施例を示す縦断面図、図２は、本発明による図書消毒器の消毒チャンバーに載置された消毒すべき図書の中紙と表紙とが自重および重力、そして噴射される空気によって広げられる状態を示す斜視図である。
【００２０】
本発明による図書消毒器は、図１および図２に示すように、消毒チャンバー１０の底壁１２と上壁１４との間に傾斜後方壁１６が備えられており、前記消毒チャンバー１０には前記傾斜後方壁１６に近接する自由端部１８を持つ少なくとも一つの図書保持部材２０が備えられているので、消毒すべき図書Ａの中紙ａと表紙ｂとを両分（換言すれば、二分）するように開いてから、前記傾斜後方壁１６と前記図書保持部材２０との間に消毒すべき図書Ａの背部（ｂｏｏｋ−ｓｐｉｎｅ、すなわち、図書Ａの背表紙）ｃを挟み込む方式でもって載置させることができるようになっている。
【００２１】
前記図書保持部材２０は、鋼棒などのような高引張力の金属で作られ、前記図書保持部材２０の固定端部２２は、例えば、前記消毒チャンバー１０の底壁１２、傾斜後方壁１６または上壁１４に固定されている。
【００２２】
前記傾斜後方壁１６には、前記図書保持部材２０と対応する図書支持台２４が備えられていて、この図書支持台２４は、前記傾斜後方壁１６と前記図書保持部材２０との間に背部ｃが斜めに挟み込まれる図書Ａの下端の角部を支えるようになっている。
【００２３】
前記消毒チャンバー１０の底壁１２、傾斜後方壁１６または上壁１４には、送風機２６に連結された空気噴射機２８、紫外線殺菌ランプ３０および赤外線ランプ３２が備えられている。
【００２４】
前記傾斜後方壁１６において、前記図書保持部材２０の自由端部１８と対応する部位には、永久磁石または電磁石でなる磁石３４が備えられていて、前記傾斜後方壁１６と前記図書保持部材２０の自由端部１８との間に配置される図書Ａの背部ｃを、より堅固にかつ安定に支持することができるようになっており、前記図書保持部材２０は、前記傾斜後方壁１６に向かって移動可能に設置されることもできる。
【００２５】
前記消毒チャンバー１０は、例えば、開口部３６が開放された開放型、またはドア３８で開閉される開閉型に製作されることができる。
【００２６】
本発明においては、前記底壁１２と傾斜後方壁１６との間の傾斜角（θ）は、９２°〜１００°程度であるのが好ましい。この場合には、図１および図２に示すように、消毒すべき図書Ａを両分（すなわち、二分）して開いてから、図書Ａの背部ｃが前記図書保持部材２０と傾斜後方壁１６との間に挟み込まれるように載置したときに、この載置された図書Ａの中紙ａと表紙ｂとが、摩擦抵抗なしに、自重および重力によって図２に実線で示すように自ら扇形に広げられる。このために、空気噴射機２８でもって図書Ａに向って空気を噴射させれば、図２において二点鎖線で示すように、上述のように載置された図書Ａの中紙ａと表紙ｂとが、より円滑に広げられる。
【００２７】
したがって、紫外線殺菌ランプ３０および赤外線ランプ３２から照射される光線が、上述のように載置された図書Ａの中紙ａと表紙ｂとの深部にも均一に照射されるので、図書Ａの殺菌・消毒処理の効果を大幅に向上させることになる。
【００２８】
そして、前記図書保持部材２０は、鋼棒などのような金属を単純に折曲加工して作られるものであってよいので、図書消毒器の製作費用を節減させることができる。
【００２９】
また、前記空気噴射機２８は、殺菌・消毒効果を向上させるために、同時にあるいは順次に作動させることもできる。
【産業上の利用可能性】
【００３０】
本発明は、図書館、文書保管所、資料室、学校および家庭などで図書を紫外線や赤外線でもって便利にかつ効果的に殺菌、消毒することができ、特に、利用者が図書を消毒チャンバーに一層易しく載置して使用することができる図書消毒器に適用可能である。
【符号の説明】
【００３１】
１０    消毒チャンバー
１２    底壁
１４    上壁
１６    傾斜後方壁
１８    自由端部
２０    図書保持部材
２２    固定端部
２４    図書支持台
２６    送風機
２８    空気噴射機
３０    紫外線殺菌ランプ
３２    赤外線ランプ
３４    磁石
Ａ    図書
ａ    中紙
ｂ    表紙
ｃ    背部
【図１】
2011092689.tif 000003
【図２】
2011092689.tif 000004